【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
遊技盤と、
前記遊技盤に形成された貫通孔と、
前記貫通孔に取り付けられる遊技部材とを備えてなり、
前記遊技部材は、前記貫通孔を介して前記遊技盤の裏面側位置に係合する係合部を有し、
前記係合部は、前記遊技盤の裏面から突出し、上方から落下してくる遊技球の通過を阻止することを特徴とする弾球遊技機。
【請求項２】
前記遊技盤は、透光性を有する樹脂製の透明遊技盤であり、
前記透明遊技盤の裏面側には、表示装置が設けられ、
前記透明遊技盤と前記表示装置とが、遊技球が通過し得る間隔をあけて配置されることにより、盤裏球通路が形成され、
前記係合部は、前記表示装置側に延伸して設けられ、上方から落下してくる遊技球の通過を阻止する請求項１に記載の弾球遊技機。
【請求項３】
前記係合部は、前記遊技盤の裏側に突出した部分の上面が下方に傾斜する形状を有している請求項１又は２に記載の弾球遊技機。
【請求項４】
前記遊技部材は、前記貫通孔に嵌合される嵌合部を有し、前記嵌合部は、前記遊技盤の厚さ方向に沿って複数の嵌合片に分割されており、
前記係合部は、前記嵌合部の先端に設けられている請求項１〜３のいずれか１に記載の弾球遊技機。
【請求項５】
前記係合部は、軟質樹脂からなる請求項１〜４のいずれか１に記載の弾球遊技機。
【手続補正２】
【補正対象書類名】明細書
【補正対象項目名】０００３
【補正方法】変更
【補正の内容】
【０００３】
また、従来から、遊技部材やその取付構造について、その取り付けを容易にしたり、堅固に取り付けたりするなどの点から、種々の工夫がなされている。例えば、弾球遊技機の遊技盤に取り付けられる遊技部材として、異なる種類の検出器（例えば、機械式センサや近接式センサ等）に対応した取付構造を有する遊技部材がある（例えば、特許文献１参照）。また、遊技部材の取付構造として、遊技盤に形成された貫通孔にブッシングを設置するとともに、遊技部材に形成された取付軸をブッシング内に挿入して遊技部材を固定する構造（例えば、特許文献２参照）や、遊技盤に貫通孔とガイドとを形成しておき、正確な位置に遊技部材を取り付けることが可能な構造（例えば、特許文献３参照）等がある。
【手続補正３】
【補正対象書類名】明細書
【補正対象項目名】０００４
【補正方法】変更
【補正の内容】
【０００４】
【特許文献１】特開平５−２３４１７号公報
【特許文献２】特開平１１−２８２７０号公報
【特許文献３】特開２００２−１６６０１１号公報
【手続補正４】
【補正対象書類名】明細書
【補正対象項目名】０００５
【補正方法】変更
【補正の内容】
【０００５】
しかしながら、従来の弾球遊技機では、遊技部材をネジ止めにより遊技盤に固定していたため、部品点数が増すとともに、組み立てに手間がかかるという問題があった。また、特許文献１に開示された遊技部材は、遊技部材を取り付けるために必要な貫通孔の形状が複雑であり、貫通孔の形成に手間がかかってしまうという問題があった。また、特許文献２に開示された遊技部材の取付構造では、堅固に遊技部材を固定することが可能となるものの、遊技部材の他に専ら当該遊技部材に用いられるブッシングが必要となるため、部品点数が増すとともに、却って汎用品のネジを使用するより手間やコストがかかってしまうという問題があった。さらに、特許文献３に開示された遊技部材の取付構造では、遊技盤に貫通孔だけではなく、ガイドを形成する必要があるため、単なる平板状の板から遊技盤を製造することが困難であり、製造に手間やコストがかかってしまうという問題があった。
【手続補正５】
【補正対象書類名】明細書
【補正対象項目名】０００７
【補正方法】変更
【補正の内容】
【０００７】
より具体的には、本発明は、以下のようなものを提供する。
（１）遊技盤（例えば、透明遊技盤１４）と、
上記遊技盤に形成された貫通孔（例えば、貫通孔１５４ａ〜１５４ｄ）と、
上記貫通孔に取り付けられる遊技部材（例えば、入賞装置５４ａ〜５４ｄ）とを備えてなり、
上記遊技部材は、上記貫通孔を介して上記遊技盤の裏面側位置に係合する係合部（例えば、係合部２６４、３６４）を有し、
上記係合部は、上記遊技盤の裏面から突出し、上方から落下してくる遊技球の通過を阻止することを特徴とする弾球遊技機（図１、図２参照）。
【手続補正６】
【補正対象書類名】明細書
【補正対象項目名】０００８
【補正方法】変更
【補正の内容】
【０００８】
（１）の発明によれば、遊技部材を遊技盤に堅固に取り付けることができるため、遊技部材の位置がずれたり、遊技部材が脱落したりしてしまうことを防止することができる。また、貫通孔を通過した遊技球と、上方から落下してきた遊技球との衝突が回避されるので、遊技球同士の衝突により落下経路が変化した遊技球が遊技盤に衝突するおそれがなく、遊技盤に傷が生じることを防止することができる。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
さらに、本発明は、以下のようなものを提供する。
（２） 上記（１）に記載の弾球遊技機であって、
上記遊技盤は、透光性を有する樹脂製の透明遊技盤であり、
上記透明遊技盤の裏面側には、表示装置が設けられ、
上記透明遊技盤と上記表示装置とが、遊技球が通過し得る間隔をあけて配置されることにより、盤裏球通路が形成され、
上記係合部は、上記表示装置側に延伸して設けられ、上方から落下してくる遊技球の通過を阻止することを特徴とする（図１、図２参照）。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
さらに、本発明は、以下のようなものを提供する。
（３） 上記（１）又は（２）に記載の弾球遊技機であって、
上記係合部は、上記遊技盤の裏側に突出した部分の上面が下方に傾斜する形状を有していることを特徴とする（図２、図３参照）。
【手続補正１２】
【補正対象書類名】明細書
【補正対象項目名】００１４
【補正方法】変更
【補正の内容】
【００１４】
（３）の発明によれば、上記係合部に衝突した遊技球が、奥側に向かって跳ね返されるようにすることができるため、遊技盤に傷が生じることを、より確実に防止することができるからである。
【手続補正１３】
【補正対象書類名】明細書
【補正対象項目名】００１５
【補正方法】変更
【補正の内容】
【００１５】
さらに、本発明は、以下のようなものを提供する。
（４） 上記（１）〜（３）のいずれか１に記載の弾球遊技機であって、
上記遊技部材は、上記貫通孔に嵌合される嵌合部を有し、上記嵌合部は、上記遊技盤の厚さ方向に沿って複数の嵌合片（例えば、嵌合片２５４、３５４）に分割されており、
上記係合部は、上記嵌合部の先端に設けられていることを特徴とする。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
さらに、本発明は、以下のようなものを提供する。
（５） 上記（１）〜（４）のいずれか１に記載の弾球遊技機であって、
上記係合部は、軟質樹脂からなることを特徴とする。
【手続補正１６】
【補正対象書類名】明細書
【補正対象項目名】００１８
【補正方法】変更
【補正の内容】
【００１８】
（５）の発明によれば、上記係合部に遊技球が衝突する衝撃を吸収することができるため、上記係合部に衝突した遊技球が大きく跳ね返り、他の遊技球に衝突してしまうことを防止することができる。
【手続補正１７】
【補正対象書類名】明細書
【補正対象項目名】００４６
【補正方法】変更
【補正の内容】
【００４６】
図１〜図７を用いて説明したように、本実施形態に係る弾球遊技機によれば、入賞装置は、当該入賞装置に備えられた嵌合部が貫通孔に嵌合されることにより透明遊技盤に取り付けられているため、入賞装置を透明遊技盤に取り付ける際にネジ止めを行う必要がなく、容易に入賞装置の取り付けを行うことができ、部品点数を削減することができる。また、その結果、製造にかかる手間やコストを軽減することが可能になる。
【手続補正１８】
【補正対象書類名】明細書
【補正対象項目名】００４８
【補正方法】変更
【補正の内容】
【００４８】
図１〜図７を用いた例では、上記遊技部材が入賞装置である場合について説明したが、本実施形態において、上記遊技部材は、透明遊技盤に形成された貫通孔に取り付けることができるものであれば、特に限定されず、上記入賞装置の他に、例えば、上述した始動装置、大入賞装置、転動誘導部材等であってもよい。